(57)【要約】【課題】切削工具の大部分を占めるシャンク部を略そのまま再利用して新品と同等の性能を有するコスト安に製造可能な切削工具の提供。【解決手段】先端側に被切削物を切削する切れ刃が形成された刃部１を具備する刃体３を有し、基端側に工具ホルダに保持されるシャンク部２を有する切削工具の製造方法であって、切削工具から少なくとも刃部を除去し、続いて、この刃部が除去された切削工具のシャンク部２の先端側に切れ刃が形成された刃部１を具備する刃体３を接合することで、前記シャンク部２を再利用して切削工具を製造する。【選択図】図１
2008137096.tif 000002
【特許請求の範囲】
【請求項１】
先端側に被切削物を切削する切れ刃が形成された刃部を具備する刃体を有し、基端側に工具ホルダに保持されるシャンク部を有する切削工具であって、前記シャンク部は、刃部が摩耗した切削工具から該刃部が除去されたシャンク部であり、このシャンク部の先端側には前記刃体が接合されているものであることを特徴とする切削工具。
【請求項２】
請求項１記載の切削工具において、前記シャンク部として、前記刃部が摩耗した切削工具のシャンク部から前記刃部及び該シャンク部の先端側の一部を切断除去したものが採用されていることを特徴とする切削工具。
【請求項３】
請求項２記載の切削工具において、前記シャンク部の先端には径小部が形成されていることを特徴とする切削工具。
【請求項４】
請求項１〜３いずれか１項に記載の切削工具において、前記シャンク部と前記刃体とはロウ付けにより接合されていることを特徴とする切削工具。
【請求項５】
請求項１〜４いずれか１項に記載の切削工具において、前記刃体として、前記シャンク部に比し同等若しくは高強度の超硬合金製材料若しくは金属製材料から成るものが採用されていることを特徴とする切削工具。
【請求項６】
先端側に被切削物を切削する切れ刃が形成された刃部を具備する刃体を有し、基端側に工具ホルダに保持されるシャンク部を有する切削工具の製造方法であって、切削工具から少なくとも刃部を除去し、続いて、この刃部が除去された切削工具のシャンク部の先端側に切れ刃が形成された刃部を具備する刃体を接合することで、前記シャンク部を再利用して切削工具を製造することを特徴とする切削工具の製造方法。
【請求項７】
請求項６記載の切削工具の製造方法において、前記刃部が除去された切削工具のシャンク部の先端側に切れ刃が形成されていない前記刃体を接合した後、この刃体に切れ刃を形成して刃部を具備せしめることを特徴とする切削工具の製造方法。
【請求項８】
請求項６，７いずれか１項に記載の切削工具の製造方法において、前記刃部を除去する際、前記切削工具のシャンク部から前記刃部及び該シャンク部の先端側の一部を切断除去することを特徴とする切削工具の製造方法。
【請求項９】
請求項８記載の切削工具の製造方法において、前記シャンク部の先端側に切れ刃が形成された刃部を具備する刃体を接合した後、該シャンク部の先端に径小部を形成することを特徴とする切削工具の製造方法。
【請求項１０】
請求項６〜９いずれか１項に記載の切削工具の製造方法において、前記刃体として、該刃体接合後の切削工具全長が、前記刃部除去前の切削工具全長以上となる長さを有する刃体が採用されていることを特徴とする切削工具の製造方法。
【請求項１１】
請求項６〜１０いずれか１項に記載の切削工具の製造方法において、前記刃部が除去された切削工具と前記刃体とをロウ付けにより接合することを特徴とする切削工具の製造方法。
【請求項１２】
請求項６〜１１いずれか１項に記載の切削工具の製造方法において、前記刃体として、前記シャンク部に比し同等若しくは高強度の超硬合金製材料若しくは金属製材料から成るものが採用されていることを特徴とする切削工具の製造方法。
【発明の詳細な説明】
【技術分野】
【０００１】
本発明は、切れ刃が摩耗した切削工具のシャンク部を利用した切削工具及びその製造方法に関するものである。
【背景技術】
【０００２】
例えば、ドリルやエンドミル等の、先端側に被切削物を切削する切れ刃が形成された刃部を有し基端側に工具ホルダに保持されるシャンク部を有する切削工具は、その切れ刃が摩耗して切削性能が低下する度に、該切れ刃（刃部）を研磨することで初期の切削性能を回復させているが、研磨を数回繰り返し、研磨代がなくなると、もはや研磨は不可能となり廃棄される。
【０００３】
ところで、近年の切削工具には、切削性能や耐摩耗性を向上させるため、Ｗ，Ｃｏ，Ｍｏ等の高価な希少金属が含まれており、できるだけ長く活用したいという要望が強い。
【０００４】
そこで、例えば特許文献１には、研磨代のなくなった切削工具を一回り小さい切削工具に形成することで再利用を図る技術が開示されている。
【０００５】
【特許文献１】特開２００４−３２２２４１号公報
【発明の開示】
【発明が解決しようとする課題】
【０００６】
しかしながら、上記特許文献１に開示される技術では、徐々に径小な切削工具としてしか再利用することができず、また、特に、切削工具の大部分を占めるシャンク部を大きく削る必要があり、充分な切削工具の再利用が図られているとは言い難い。
【０００７】
本発明は、上述のような現状に鑑み、切削工具の大部分を占めるシャンク部を略そのまま再利用して新品と同等の性能を有するコスト安に製造可能な切削工具及びその製造方法を提供するものである。
【課題を解決するための手段】
【０００８】
添付図面を参照して本発明の要旨を説明する。
【０００９】
先端側に被切削物を切削する切れ刃が形成された刃部１を具備する刃体３を有し、基端側に工具ホルダに保持されるシャンク部２を有する切削工具であって、前記シャンク部２は、刃部が摩耗した切削工具から該刃部が除去されたシャンク部２であり、このシャンク部２の先端側には前記刃体３が接合されているものであることを特徴とする切削工具に係るものである。
【００１０】
また、請求項１記載の切削工具において、前記シャンク部２として、前記刃部が摩耗した切削工具のシャンク部２から前記刃部及び該シャンク部２の先端側の一部を切断除去したものが採用されていることを特徴とする切削工具に係るものである。
【００１１】
また、請求項２記載の切削工具において、前記シャンク部２の先端には径小部６が形成されていることを特徴とする切削工具に係るものである。
【００１２】
また、請求項１〜３いずれか１項に記載の切削工具において、前記シャンク部２と前記刃体３とはロウ付けにより接合されていることを特徴とする切削工具に係るものである。
【００１３】
また、請求項１〜４いずれか１項に記載の切削工具において、前記刃体３として、前記シャンク部２に比し同等若しくは高強度の超硬合金製材料若しくは金属製材料から成るものが採用されていることを特徴とする切削工具に係るものである。
【００１４】
また、先端側に被切削物を切削する切れ刃が形成された刃部１を具備する刃体３を有し、基端側に工具ホルダに保持されるシャンク部２を有する切削工具の製造方法であって、切削工具から少なくとも刃部を除去し、続いて、この刃部が除去された切削工具のシャンク部２の先端側に切れ刃が形成された刃部１を具備する刃体３を接合することで、前記シャンク部２を再利用して切削工具を製造することを特徴とする切削工具の製造方法に係るものである。
【００１５】
また、請求項６記載の切削工具の製造方法において、前記刃部が除去された切削工具のシャンク部２の先端側に切れ刃が形成されていない前記刃体３を接合した後、この刃体３に切れ刃を形成して刃部１を具備せしめることを特徴とする切削工具の製造方法に係るものである。
【００１６】
また、請求項６，７いずれか１項に記載の切削工具の製造方法において、前記刃部を除去する際、前記切削工具のシャンク部２から前記刃部及び該シャンク部２の先端側の一部を切断除去することを特徴とする切削工具の製造方法に係るものである。
【００１７】
また、請求項８記載の切削工具の製造方法において、前記シャンク部２の先端側に切れ刃が形成された刃部１を具備する刃体３を接合した後、該シャンク部２の先端に径小部６を形成することを特徴とする切削工具の製造方法に係るものである。
【００１８】
また、請求項６〜９いずれか１項に記載の切削工具の製造方法において、前記刃体３として、該刃体３接合後の切削工具全長が、前記刃部除去前の切削工具全長以上となる長さを有する刃体３が採用されていることを特徴とする切削工具の製造方法に係るものである。
【００１９】
また、請求項６〜１０いずれか１項に記載の切削工具の製造方法において、前記刃部が除去された切削工具と前記刃体３とをロウ付けにより接合することを特徴とする切削工具の製造方法に係るものである。
【００２０】
また、請求項６〜１１いずれか１項に記載の切削工具の製造方法において、前記刃体３として、前記シャンク部２に比し同等若しくは高強度の超硬合金製材料若しくは金属製材料から成るものが採用されていることを特徴とする切削工具の製造方法に係るものである。
【発明の効果】
【００２１】
本発明は上述のようにしたから、切削工具の大部分を占めるシャンク部を略そのまま再利用して新品と同等の性能を有するコスト安に製造可能な切削工具及びその製造方法となる。
【発明を実施するための最良の形態】
【００２２】
好適と考える本発明の実施形態を、図面に基づいて本発明の作用を示して簡単に説明する。
【００２３】
刃部が除去された切削工具のシャンク部２の先端側に、切れ刃が形成された刃部１を具備する刃体３を接合することで、本来廃棄される切削工具のシャンク部２を略そのまま再利用して新たな切削工具を製造でき、従って、新品と同等の切削性能を発揮可能な切削工具をコスト安に製造可能となる。
【実施例】
【００２４】
本発明の具体的な実施例について図面に基づいて説明する。
【００２５】
本実施例は、先端側に被切削物を切削する切れ刃が形成された刃部１を具備する刃体３を有し、基端側に工具ホルダに保持されるシャンク部２を有する切削工具の製造方法であって、前記切れ刃が摩耗した切削工具から少なくとも刃部を除去し、続いて、この刃部が除去された切削工具のシャンク部２の先端側に切れ刃が形成された刃部１を具備する刃体３を接合することで、前記シャンク部２を再利用して切削工具を製造するものである。
【００２６】
本実施例は、一の超硬合金製のソリッド材を研削加工等で除去加工することで形成された切削工具を再利用して新たな切削工具を製造するものであり、具体的には、切り屑排出溝や切れ刃が形成された刃部７と、所定径に加工されたシャンク部２と、この刃部７とシャンク部２とを連設するテーパ部４とを有する切削工具のシャンク部２を再利用して新たな切削工具を製造する。
【００２７】
具体的には、先ず、（切れ刃が摩耗して再研磨も不可能となった）切削工具のシャンク部２から先端側を、刃部７全部，テーパ部４全部及びシャンク部２の一部を除去するように切断する(図１(ａ)→図１(ｂ))。
【００２８】
続いて、シャンク部２の先端面とシャンク径より稍径大の刃体３の基端面とを、ロウ付け、具体的には銀ロウを用いた銀ロウ付けにより接合する(図１(ｂ)→図１(ｃ))。尚、銀ロウ付けに限らず、他の接合方法を採用しても良い。
【００２９】
従って、切削工具の最も径大なシャンク部２と刃体３とを接合でき、接合面積が大きくなるので、シャンク部２と刃体３との接合一体化が良好に行われることになる。
【００３０】
刃体３としては、シャンク部２に比し同等若しくは高強度の超硬合金製材料が採用されている。従って、例えば高強度の超硬合金製材料を採用した場合には、より良好な切削性能・耐久性を発揮できる切れ刃を形成するため、シャンク部２に比し高価な高強度の超硬合金製材料を刃体３として採用しても、シャンク部２の長さ分だけ材料コストを低減できることになる。尚、刃体３はシャンク部２と同材料製としても良い。
【００３１】
続いて、刃体３及びシャンク部２に所望の加工を施す(図１(ｃ)→図１(ｄ))。具体的には、本実施例においては、刃体３は、シャンク部２に接合する前の状態では単に棒状に加工された状態で切り屑排出溝や切れ刃等は形成されておらず、該刃体３接合後の切削工具全長が前記刃部７除去前の切削工具全長以上となる長さに設定されている。
【００３２】
この刃体３をシャンク部２に接合後、長さを刃部７除去前の工具全長と刃体３接合後の工具全長とが略同じとなる長さに設定すると共に切れ刃等を形成する。この際、必要であれば、刃体３の切れ刃等が形成される先端部と、シャンク部２と連設する刃体３の基端部との間にテーパ部５も形成する。
【００３３】
また、刃体３の基端と接合するシャンク部２の先端には、所定長ａの、テーパ部６ａと同径部６ｂとから成るシャンク部２の基端側より僅かに径小な径小部６を形成する。この径小部６の同径部６ｂは前記刃体３の基端部に形成した同径部８と略同径に設定している。本実施例においては、刃体３とシャンク部２と両者の接合部の外周の研削除去を同時に行い上記シャンク部２の径小部６及び刃体３の同径部８を形成している。
【００３４】
尚、刃体３の長さは、接合前に予め刃部７除去前の工具全長と刃体３接合後の工具全長とが略同じとなる長さに設定しても良い。
【００３５】
従って、刃部７除去前と同じ大きさの切削工具を製造可能となり、シャンク部２をほとんど研削加工等の除去加工をする必要なく、略そのままの状態で再利用できることになる。
【００３６】
以上の工程を繰り返すことで、シャンク部２を何度も再利用することができ、材料の浪費を抑制して切削工具の低コスト化を実現でき、ひいては切削工具による加工コストを低減できることになる。
【００３７】
また、シャンク部２にロウ付けした刃体３の切れ刃が摩耗して研磨も不能となった場合には、この刃体３を除去し、新しい刃体３’をロウ付けすることになるが、本実施例においてはシャンク部２と新しい刃体３’との接合一体化を良好に行うため、図２に図示したように、シャンク部２の先端側をシャンク部２と刃体３との径小部６を除去するように切断している。そのため、本実施例においては再利用の度にシャンク部２は短くなっていくが、同一長さの切削工具を製造し得るようにシャンク部２の再利用を重ねる程、徐々に刃体３，３’，３”…を長くしている。
【００３８】
特に、本実施例においては、径小部６を所定長ａに設定しているから、例えば多数の切削工具をシャンク部２の長さ（シャンク長）毎に自動選別する際、この径小部６が目印となり容易に各切削工具のシャンク長を識別可能となり、シャンク長の測定選別から刃部の除去作業までを自動的に行えることになり、極めて加工効率が向上する。
【００３９】
尚、本実施例は、一のソリッド材を加工して刃部７とシャンク部２とを形成して成る切削工具のシャンク部２を再利用する場合について詳述したが、刃部とシャンク部とをロウ付け等により接合一体化した切削工具のシャンク部を再利用する場合も同様である。また、テーパ部５を形成せず、刃部７とシャンク部２とを直接連設する切削工具のシャンク部を再利用する場合も同様である。
【００４０】
本実施例は上述のようにしたから、刃部が摩耗した切削工具の該刃部を除去し、この刃部が除去された切削工具のシャンク部２の先端側に、切れ刃が形成される刃部１を具備する刃体３を接合することで、本来廃棄される切削工具のシャンク部を略そのまま再利用して新たな切削工具を製造でき、従って、新品と同等の切削性能を発揮可能な切削工具をコスト安に製造可能となる。
【００４１】
従って、本実施例は、切削工具の大部分を占めるシャンク部を略そのまま再利用して新品と同等の性能を有する切削工具をコスト安に製造可能なものとなる。
【図面の簡単な説明】
【００４２】
【図１】本実施例の概略説明図である。
【図２】本実施例の概略説明図である。
【符号の説明】
【００４３】
１  刃部
２  シャンク部
３  刃体
６  径小部
【図１】
2008137096.tif 000003
【図２】
2008137096.tif 000004